(57)【要約】【解決手段】本発明は、アップライト型真空掃除機に関し、特に、掃除機本体が着脱可能に設けられることで、キャニスタ型に転換可能であり、掃除機本体の垂直方向の流動を拘束すると共に、水平方向の流動を拘束する着脱手段を設けることで、掃除機本体を安定的に装着し、且つ、離脱を容易にするキャニスタ型に転換可能なアップライト型真空掃除機の本体装着構造に関する。本発明によるキャニスタ型に転換可能なアップライト型真空掃除機の本体装着構造は、一定空間を成し、吸入口及び吐出口が形成され、吸入口の内側に吸入装置が設けられた掃除機本体と、掃除機本体が上面に着脱可能に設けられる連結パネルと、連結パネルが回転可能に設けられ、捕集口及び排出口が形成された吸入部と、掃除機本体と連結パネルとの間に設けられる着脱手段と、掃除機本体に着脱可能に設けられ、異物が流入する流路が形成された中空部を有する延長管を備えたハンドルと、吸入口に一端が連結され、他端が排出口とハンドルのいずれか一方に選択的に結合される流入管と、を含むことを特徴とする。【選択図】図４
2009504306.tif 000002
【特許請求の範囲】
【請求項１】
吸入口及び吐出口が形成され、前記吸入口の内側に吸入装置が設けられた掃除機本体と、
前記掃除機本体が上面に着脱可能に設けられる連結パネルと、
前記連結パネルが回転可能に設けられ、捕集口及び排出口が形成された吸入部と、
前記掃除機本体と前記連結パネルとの間に設けられる着脱手段と、
前記掃除機本体に着脱可能に設けられ、異物が流入する流路が形成された中空部を有する延長管を備えたハンドルと、
前記吸入口に一端が連結され、他端が前記排出口と前記ハンドルのいずれか一方に選択的に結合される流入管と、
を含むことを特徴とするキャニスタ型掃除機に転換可能なアップライト型掃除機の本体装着構造。
【請求項２】
前記掃除機本体には、前記着脱手段と対応する下端に複数の係止溝部が形成されることを特徴とする請求項１に記載のキャニスタ型掃除機に転換可能なアップライト型掃除機の本体装着構造。
【請求項３】
前記連結パネルは、
前記掃除機本体が装着される上部パネルと、
前記上部パネルの底面に結合され、前記吸入部の底面の下側に突出する車輪が設けられた下部パネルと、
前記車輪の回転軸を回転可能に拘束して、前記吸入部に締結される固定パネルと、
を含み、
前記上部パネルと前記下部パネルとの間には、前記係止溝部に締結される着脱手段が設けられることを特徴とする請求項１に記載のキャニスタ型に転換可能なアップライト型掃除機の本体装着構造。
【請求項４】
前記上部パネルには、前記係止溝部と対応するように突出する上面と、前記着脱手段が出入り可能となるように開放された下面と、を有するカバー部が形成されることを特徴とする請求項３に記載のキャニスタ型掃除機に転換可能なアップライト型掃除機の本体装着構造。
【請求項５】
前記着脱手段は、
前記上部パネルと前記下部パネルとの間に回転可能に設けられ、前記上部パネルの外側に突出して配置される複数の係止フックと、
前記係止フックと前記下部パネルとの間に介在されるスプリングと、
前記上部パネルに垂直方向にスライド可能に設けられ、使用者の操作により前記係止フックを回転させるノブと、
前記掃除機本体の下端で突出する複数の突起と、
前記突起と対応する前記上部パネルに形成される溝部と、
を含むことを特徴とする請求項１または請求項３に記載のキャニスタ型掃除機に転換可能なアップライト型掃除機の本体装着構造。
【請求項６】
前記係止フックは、
前記上部パネルの中央に設けられる第１係止フックと、
前記第１係止フックと結合され、前記第１係止フックと共に回転する第２係止フックと、を含むことを特徴とする請求項５に記載のキャニスタ型掃除機に転換可能なアップライト型掃除機の本体装着構造。
【請求項７】
前記第２係止フックは、
回転軸に一体に形成される一対の係止フックと、
前記回転軸から前方に伸びる延長部と、
前記第１係止フックが挿入されるように前記延長部に形成される穴部と、を含むことを特徴とする請求項６に記載のキャニスタ型掃除機に転換可能なアップライト型掃除機の本体装着構造。
【請求項８】
前記ノブは、前記上部パネルに垂直方向にスライド可能に設けられ、内側に設けられる一対の押圧部が前記穴部及び前記第１係止フックの前方側端部と対応するように形成されることを特徴とする請求項５に記載のキャニスタ型掃除機に転換可能なアップライト型掃除機の本体装着構造。
【発明の詳細な説明】
【技術分野】
【０００１】
本発明は、アップライト型真空掃除機に関し、特に、掃除機本体が着脱可能に設けられることで、キャニスタ型に転換可能であり、掃除機本体の垂直方向の動きを拘束すると共に、水平方向の動きを拘束する着脱手段を設けることで、掃除機本体を安定的に装着し、且つ、離脱を容易にするキャニスタ型に転換可能なアップライト型真空掃除機の本体装着構造に関する。
【背景技術】
【０００２】
一般的に真空掃除機は、ファンモータの駆動による真空ポンプの動作に伴う負圧により発生した強い吸引力を用いて、室内の床、壁、隙間、壁面などに散在している塵埃やその他の異物を吸入して、内部の集塵フィルタにより捕集できるように構成される家電機器である。
【０００３】
現在広く普及及び使用されている真空掃除機は、その使用状態及び形態によって、隅の掃除及び移動が便利で、ブラシやノズルの交替が容易であるキャニスタ型（Ｃａｎｉｓｔｅｒ  ｔｙｐｅ）と、広い空間の掃除が容易で、保管が便利であるアップライト型（Ｕｐｒｉｇｈｔ  ｔｙｐｅ）とに区分できる。
【０００４】
図１は、従来技術によるアップライト型真空掃除機の斜視図である。従来のアップライト型真空掃除機は、底面に移動車輪１０５が設けられ、底面から塵埃を吸入する吸入部１００と、モータなどの部品が内蔵される駆動ボックス２００と、直立型のハンドル３００とで構成される。
【０００５】
上記のように、真空掃除機において、吸入部１００の底面にはブラシが設けられた吸入口（図示せず）が形成され、ブラシにより除去された塵埃が吸入される。吸入された塵埃は、所定の空気流動過程を経て、フィルタを通して集塵され、その後、外部に空気が吐出される。
【０００６】
かかるアップライト型掃除機は、前記吸入部が掃除機本体の他の部分に比べて相対的に広く形成されるので、掃除機が直立し、広い空間を移動しながら容易に掃除することができる。また、掃除作業が終わった後、直立した状態で保管できるという長所がある。
【０００７】
しかしながら、従来技術によるアップライト型掃除機は、吸入部が底面と対応する状態で掃除作業をしねばならないため、角部分や家具の隙間など、狭い空間の掃除作業が難しいという問題点がある。
【０００８】
そして、吸入部及び駆動ボックスにより比較的に重い掃除機本体が直立した状態を維持するため、異物が流入する吸入口側に設けられるローラ及びフィルタなどの部材の掃除及び交替作業が難しいという問題点がある。
【発明の開示】
【発明が解決しようとする課題】
【０００９】
本発明は、上述の問題点に鑑みてなされたもので、その目的は、掃除機本体及び吸入部が別途に製作され、着脱可能に設けられることで、キャニスタ型に転換可能なアップライト型掃除機の本体装着構造を提供することにある。
【００１０】
また、本発明の他の目的は、掃除機本体の垂直方向の動き及び水平方向の動きを抑制する着脱手段が設けられることで、掃除作業を容易にするために、掃除機本体が吸入部から一定角度傾くように配置されても、掃除機本体の離脱を防止できるようにしたキャニスタ型に転換可能なアップライト型掃除機の本体装着構造を提供することにある。
【課題を解決するための手段】
【００１１】
上記の目的を達成すべく、本発明によるキャニスタ型掃除機に転換可能なアップライト型掃除機の本体装着構造は、吸入口及び吐出口が形成され、前記吸入口の内側に吸入装置が設けられた掃除機本体と、前記掃除機本体が上面に着脱可能に設けられる連結パネルと、前記連結パネルが回転可能に設けられ、捕集口及び排出口が形成された吸入部と、前記掃除機本体と前記連結パネルとの間に設けられる着脱手段と、前記掃除機本体に着脱可能に設けられ、異物が流入する流路が形成された中空部を有する延長管を備えたハンドルと、前記吸入口に一端が連結され、他端が前記排出口と前記ハンドルのいずれか一方に選択的に結合される流入管と、を含むことを特徴とする。
【００１２】
また、前記掃除機本体には、前記着脱手段と対応する下端に複数の係止溝部が形成されることが好ましい。
【００１３】
また、前記連結パネルは、前記掃除機本体が装着される上部パネルと、前記上部パネルの底面に結合され、前記吸入部の底面の下側に突出する車輪が設けられた下部パネルと、前記車輪の回転軸を回転可能に拘束して、前記吸入部に締結される固定パネルと、を含み、前記上部パネルと前記下部パネルとの間には、前記係止溝部に締結される着脱手段が設けられることが好ましい。
【００１４】
また、前記上部パネルには、前記係止溝部と対応するように突出する上面と、前記着脱手段が出入り可能となるように開放された下面と、を有するカバー部が形成されることが好ましい。
【００１５】
また、前記着脱手段は、前記上部パネルと前記下部パネルとの間に回転可能に設けられ、前記上部パネルの外側に突出して配置される複数の係止フックと、前記係止フックと前記下部パネルとの間に介在されるスプリングと、前記上部パネルに垂直方向にスライド可能に設けられ、使用者の操作により前記係止フックを回転させるノブと、前記掃除機本体の下端で突出する複数の突起と、前記突起と対応する前記上部パネルに形成される溝部と、を含むことが好ましい。
【００１６】
また、前記係止フックは、前記上部パネルの中央に設けられる第１係止フックと、前記第１係止フックと結合され、前記第１係止フックと共に回転する第２係止フックと、を含むことが好ましい。
【００１７】
また、前記第２係止フックは、回転軸に一体に形成される一対の係止フックと、前記回転軸から前方に伸びる延長部と、前記第１係止フックが挿入されるように前記延長部に形成される穴部と、を含むことが好ましい。
【００１８】
また、前記ノブは、前記上部パネルに垂直方向にスライド可能に設けられ、内側に設けられる一対の押圧部が前記穴部及び前記第１係止フックの前方側端部と対応するように形成されることが好ましい。
【発明の効果】
【００１９】
本発明による掃除機によれば、掃除機本体が吸入部と別途に製作され、連結パネルにより着脱可能であるので、使用者の操作による掃除機本体と吸入部の着脱及び流入管の設置有無により、掃除機をアップライト型またはキャニスタ型として使用することができる。従って、広い場所を掃除するときは、アップライト型として掃除を容易にし、狭い場所や隙間などに積もった異物を吸入するときは、キャニスタ型掃除機として、掃除を便利にできるという長所がある。
【００２０】
また、掃除機本体及び連結パネルの間に、掃除機本体の垂直方向の動きを抑制する係止フック及び係止溝部が形成され、掃除機本体の水平方向の動きを抑制する突起及び溝部が形成されることで、アップライト型掃除機を構成するとき、掃除機本体を安定的に装着できるので、広い場所の掃除作業を容易にできるという長所がある。尚、キャニスタ型に転換するときも、ノブを押圧する一度の動作で、掃除機本体を容易に離脱させることができ、キャニスタ型に転換するのに所要される時間を節減できるという長所がある。
【発明を実施するための最良の形態】
【００２１】
以下、本発明によるキャニスタ型に転換可能なアップライト型掃除機の本体装着構造の一実施の形態を、添付図面に基づき詳細に説明する。
【００２２】
図２は、本発明による掃除機の背面斜視図であり、図３は、本発明による掃除機の正面斜視図である。
【００２３】
本発明によるアップライト型掃除機は、一定空間を成し、吸入口１２及び吐出口１４が形成され、前記吸入口１２内側に吸入装置が設けられる掃除機本体１０と、前記掃除機本体１０が上面に着脱可能に設けられる連結パネル６０と、前記連結パネル６０が回転可能に設けられ、捕集口及排出口１８が形成される吸入部１５と、前記掃除機本体１０と連結パネル６０との間に設けられる着脱手段９０と、前記掃除機本体１０に着脱可能に設けられ、内部が中空となり、異物が流入する流路を成す延長管３０及びハンドル２０と、前記吸入口１２に一側端部が連結され、他側端部は排出口１８またはハンドル２０に選択的に結合される流入管7０とを含んで構成される。
【００２４】
使用者の操作により掃除機本体１０が吸入部１５上面に安着し、流入管7０が排出口１８に差し込まれると、吸入部１５の捕集口を通して流入した異物及び空気が排出口１８を経由し、流入管7０に沿って吸入口１２を通して掃除機本体１０内部に流入するアップライト型掃除機が構成される。一方、使用者の操作により掃除機本体１０が吸入部１５から離脱し、流入管7０が排出口１８から離脱してハンドル２０に締結されると、図５に示すように、前記延長管３０からハンドル２０を経由し、掃除機本体１０まで連通する異物及び空気の吸入流路が形成されるキャニスタ型掃除機を構成できる。
【００２５】
ここで、前記掃除機本体１０は、図２に示すように、垂直方向に長い空間を成して、その内部に集塵容器及び吸入装置が設けられる。掃除機本体１０の上端には吸入口１２が形成され、前面下部には吐出口１４が形成される。
【００２６】
そして、吸入部１５は、前記掃除機本体１０と比べて相対的に下部が広く形成され、上面に掃除機本体１０が直立して結合されるように形成される。吸入部１５の底面には捕集口が形成され、上部一側に捕集口から流入した異物及び空気が吐出される排出口１８が形成される。従って、掃除機本体１０が吸入部１５上面に結合されると、捕集口に流入した異物及び空気が排出口１８を経由し、流入管7０に沿って掃除機本体１０に吸入されるアップライト型掃除機が構成される。
【００２７】
さらに、前記掃除機本体１０は、前記着脱手段９０と対応する下端に、多数の係止溝部１０ａ、１０ｂが形成される。それによって、掃除機本体１０を連結パネル６０上面に安着させると、後述される係止フック９２がスプリング９４により回転し、係止溝部１０ａ、１０ｂに掛かることで、掃除機本体１０の垂直方向の動きが抑制される。
【００２８】
前記連結パネル６０は、前記掃除機本体１０が設けられる上部パネル６２と、前記上部パネル６２の底面に結合され、吸入部１５の底面に突出する車輪１６が設けられる下部パネル６３と、前記車輪１６の回転軸を回転可能に拘束して、吸入部１５に締結される固定パネル６１とを含んで構成される。前記上部パネル６２と下部パネル６３との間に、係止溝部１０ａ、１０ｂに締結される着脱手段９０が設けられる。
【００２９】
ここで、前記上部パネル６２には、図４に示すように、前記係止溝部１０ａ、１０ｂと対応する上面で突出し、背面が開放されて着脱手段を出沒させるカバー部６５が形成される。従って、使用者がノブ９９を操作すると、係止フック９２が回転しながらカバー部６５の背面に突出して、掃除機本体１０の係止溝部１０ａ、１０ｂに掛かり、掃除機本体１０の垂直方向の動きが防止される。
【００３０】
図６は、本発明による掃除機の着脱手段を示す分解斜視図であり、図７は、本発明による掃除機の着脱手段を示す断面図である。
【００３１】
前記着脱手段９０は、前記上部パネル６２と下部パネル６３との間に回転可能に設けられ、上部パネル６２の外側に突出して配置される多数の係止フック９２と、前記係止フック９２と下部パネル６３との間に介在されるスプリング９４と、上部パネル６２に垂直方向にスライド可能に設けられ、使用者の操作により係止フック９２を回転させるノブ９９と、前記掃除機本体１０の下端で突出する多数の突起９６と、前記突起９６と対応する上部パネル６２に形成された溝部９８とを含んで構成される。
【００３２】
ここで、前記係止フック９２は、前記上部パネル６２の中央に設けられる第１係止フック９２ａと、前記第１係止フック９２ａと結合されて第１係止フック９２ａと共に回転する第２係止フック９２ｂとを備える。前記第２係止フック９２ｂは、回転軸９２ｂｓに一体に形成される一対の係止フック９２ｂ１、９２ｂ２を備え、回転軸９２ｂｓから前方に伸びる部分９２ｄには、前記第１係止フック９２ａが挿入される穴部９２ｃが形成される。使用者がノブ９９を操作して穴部９２ｃが押圧されると、スプリング９４が押圧され、第１係止フック９２ａ及び第２係止フック９２ｂが回転する。この時、第１係止フック９２ａは係止溝部１０ａから離脱し、第２係止フック９２ｂはカバー部６５内側に回転しながら係止溝部１０ｂから離脱する。このような作動により、掃除機本体１０と吸入部１５が分離される。
【００３３】
そして、前記ノブ９９は、前記上部パネル６２に垂直方向にスライド可能に設けられ、内側に設けられる一対の押圧部９９ａが前記穴部９２c及び第１係止フック９２ａの前方側端部と対応するように設けられる。従って、ノブ９９を押圧すると、前記穴部９２c及び第１係止フック９２ａの前方側端部が加圧され、図７に図示された断面図上において、反時計方向に回転しながら掃除機本体１０の係止溝部１０ａ、１０ｂから離脱して、掃除機本体１０を吸入部１５から離脱させることができる。
【００３４】
以下、上記のように構成された本発明によるキャニスタ型に転換可能なアップライト型掃除機の本体装着構造の動作を説明する。
【００３５】
先ず、上記のようにハンドル２０が設けられた延長管３０は、掃除機本体１０に着脱可能に設けられる。アップライト型掃除機として使用されるときは、図２に示すように、カバー５０により掃除機本体１０に装着されるので、ハンドル２０を把持し、掃除機本体１０を吸入部１５に設けられた車輪１６により移動させながら、掃除作業をすることができる。
【００３６】
この時、使用者がレバー１０２を踏むと、連結パネル６０が吸入部１５から離脱し、掃除機本体１０が回転可能に動きするので、掃除機本体１０を容易に押したり引いたりして、便利に掃除作業を行うことができる。
【００３７】
さらに、キャニスタ型掃除機に転換する時は、掃除機本体１０の背面に設けられたカバー５０のボタンを操作して、延長管３０を掃除機本体３０から離脱させ、前記流入管７０を排出口１８から離脱させて、ハンドル本体２２の締結孔部２２ａに挿入する。その後、掃除機本体１０を吸入部１５から離脱させて底面に横たえると、キャニスタ型掃除機が構成される。この時、延長管３０の下端にヘッド８０を設けて、家具の隙間のような狭い場所の掃除作業を容易に行うことができる。
【００３８】
このように前記ノブ９９を押圧すると、ノブの押圧部９９ａは安着穴部６６を通して連結パネル６０内部に挿入され、穴部９２ｃ及び第１係止フック９２ａの前方側端部を下側方向に加圧しながら各々の係止フック９２を回転させる。それによって、スプリング９４が圧縮され、係止フック９２が時計方向に回転して、掃除機本体１０の係止溝部１０ａ、１０ｂから離脱するので、掃除機本体１０を吸入部１５から分離することができる。
【００３９】
上記のような構成及び作動により、キャニスタ型に転換可能なアップライト型掃除機を構成することができ、さらに、掃除機本体の装着及び分離が容易なアップライト型掃除機を構成することができる。
【００４０】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００４１】
【図１】一般的なアップライト型真空掃除機の斜視図である。
【図２】本発明による掃除機の背面斜視図である。
【図３】本発明による掃除機の正面斜視図である。
【図４】本発明による本体装着構造を示す分解斜視図である。
【図５】本発明による本体装着構造を示す側面図である。
【図６】本発明による掃除機の着脱手段を示す分解斜視図である。
【図７】本発明による掃除機の着脱手段を示す断面図である。
【図１】
2009504306.tif 000003
【図２】
2009504306.tif 000004
【図３】
2009504306.tif 000005
【図４】
2009504306.tif 000006
【図５】
2009504306.tif 000007
【図６】
2009504306.tif 000008
【図７】
2009504306.tif 000009
【国際調査報告】
2009504306.tif 000010
2009504306.tif 000011